(57)【要約】【課題】傾き補正機能が有効である場合であっても、画像データの種別を判別する処理を精度良く行う。【解決手段】画像読取装置は、受付部と、読取領域設定部と、画像読取部と、傾き補正部と、判別部と、を備える。読取領域設定部は、傾き補正処理が実行される場合において設定する読取領域を、傾き補正処理が実行されない場合において設定する読取領域よりも大きくする。判別部は、傾き補正処理が実行されない場合に、画像データの全領域を予め定められた第１の領域だけ内側へ狭めた領域を対象領域と定める。また、判別部は、傾き補正処理が実行される場合に、画像データの全領域を第１の領域より大きい第２の領域だけ狭めた領域を対象領域と定める。【選択図】図５
2016092479.tif 000002
【特許請求の範囲】
【請求項１】
読み取り対象の原稿の読取領域を設定する読取領域設定部と、
前記読取領域設定部が設定した前記読取領域において、前記原稿を読み取って画像データを生成する画像読取部と、
前記画像読取部が生成した前記画像データに対して原稿の傾きに応じた傾き補正処理を施す傾き補正部と、
前記画像読取部が生成した前記画像データの全領域の中から対象領域を定め、当該対象領域において前記原稿に相当する前記画像データ部分を解析することで、前記画像データの種別を判別する判別部と、を備え、
前記読取領域設定部は、前記傾き補正処理が実行される場合において設定する前記読取領域を、前記傾き補正処理が実行されない場合において設定する前記読取領域よりも大きくし、
前記判別部は、前記傾き補正処理が実行されない場合に、前記画像データの全領域を予め定められた第１の領域だけ内側へ狭めた領域を前記対象領域と定め、前記傾き補正処理が実行される場合に、前記画像データの全領域を前記第１の領域より大きい第２の領域だけ内側へ狭めた領域を前記対象領域と定める、画像読取装置。
【請求項２】
前記第２の領域の大きさを受け付ける領域受付部を更に備え、
前記判別部は、前記画像データの全領域を前記領域受付部が受け付けた第２の領域だけ狭めた領域を前記対象領域と定める、請求項１に記載の画像読取装置。
【請求項３】
前記傾き補正処理の実行指示を受け付ける指示受付部を更に備え、
前記指示受付部が前記実行指示を受け付けた場合に、前記傾き補正部が前記傾き補正処理を実行し、前記指示受付部が前記実行指示を受け付けない場合に、前記傾き補正部が前記傾き補正処理を実行しない、請求項１または請求項２に記載の画像読取装置。
【請求項４】
前記判別部は、前記画像データの種別を判別する処理として、前記画像データが白紙データであるか否かを判別する処理、または、前記画像データがカラーデータであるかモノクロデータであるかを判別する処理を実行する、請求項１乃至請求項３の何れか１項に記載の画像読取装置。
【請求項５】
請求項１乃至請求項４の何れか１項に記載の画像読取装置と、
前記画像読取装置が生成した画像データに基づき、記録紙に画像を形成する画像形成部と、を備える画像形成装置。
【発明の詳細な説明】
【技術分野】
【０００１】
本発明は、画像読取装置および画像読取装置を備える画像形成装置に関し、特に、画像読取部が生成した画像データを解析することで、画像データの種別を判別する技術に関する。
【背景技術】
【０００２】
画像読取部が生成した画像データに対して、原稿の傾きに応じた傾き補正処理を施す傾き補正機能を搭載した画像読取装置が登場している（例えば、特許文献１参照）。当該画像読取装置によれば、傾いた状態で原稿が読み取られた場合であっても、画像データの向きを正しい向きに補正することが可能となり、画像データの品質を向上させることができる。
【先行技術文献】
【特許文献】
【０００３】
【特許文献１】特開２０１３−１２３１１９号公報
【発明の概要】
【発明が解決しようとする課題】
【０００４】
傾き補正機能が有効である場合、傾き補正処理を施した画像データに画像の欠落が生じないようにするため、読取範囲を広く設定する必要がある。しかしながら、この場合、原稿だけでなく原稿以外の領域が画像読取部に読み取られて画像データが生成される。その結果、画像読取部が生成した画像データに対して、白紙データであるか否かを判別する白紙データ判別処理や、カラーデータであるかモノクロデータであるかを判別するＡＣＳ（Auto Color Selection）処理といった画像データの種別を判別する処理を行う場合に、その判別精度が低下してしまうという問題がある。
【０００５】
本発明は、上記の事情に鑑みなされたものであり、傾き補正機能が有効である場合であっても、画像データの種別を判別する処理を精度良く行うことを可能にすることを目的とする。
【課題を解決するための手段】
【０００６】
本発明の一局面にかかる画像読取装置は、読み取り対象の原稿の読取領域を設定する読取領域設定部と、前記読取領域設定部が設定した前記読取領域において、前記原稿を読み取って画像データを生成する画像読取部と、前記画像読取部が生成した前記画像データに対して原稿の傾きに応じた傾き補正処理を施す傾き補正部と、前記画像読取部が生成した前記画像データの全領域の中から対象領域を定め、当該対象領域において前記原稿に相当する前記画像データ部分を解析することで、前記画像データの種別を判別する判別部と、を備え、前記読取領域設定部は、前記傾き補正処理が実行される場合において設定する前記読取領域を、前記傾き補正処理が実行されない場合において設定する前記読取領域よりも大きくし、前記判別部は、前記傾き補正処理が実行されない場合に、前記画像データの全領域を予め定められた第１の領域だけ内側へ狭めた領域を前記対象領域と定め、前記傾き補正処理が実行される場合に、前記画像データの全領域を前記第１の領域より大きい第２の領域だけ内側へ狭めた領域を前記対象領域と定める、画像読取装置である。
【０００７】
また、本発明の他の一局面にかかる画像形成装置は、上記の画像読取装置と、画像読取装置が生成した画像データに基づき、記録紙に画像を形成する画像形成部と、を備える画像形成装置である。
【発明の効果】
【０００８】
本発明によれば、傾き補正機能が有効である場合であっても、画像データの種別を判別する処理を精度良く行うことができる。
【図面の簡単な説明】
【０００９】
【図１】本発明の一実施形態にかかる画像読取装置を備えた画像形成装置を示す斜視図である。
【図２】本発明の一実施形態にかかる画像読取装置の構造を示す側面断面図である。
【図３】本発明の一実施形態にかかる画像読取装置の原稿搬送部の内部に設置された各種センサーの配設位置を示す平面断面図である。
【図４】本発明の一実施形態にかかる画像読取装置および画像形成装置の主要内部構成を概略的に示す機能ブロック図である。
【図５】（Ａ）および（Ｂ）は、本発明の一実施形態にかかる画像読取装置の読取領域設定部により設定される読取領域、および、判別部による解析対象となる対象領域を示す図である。
【図６】本発明の一実施形態にかかる画像読取装置による動作の流れを示すフローチャートである。
【発明を実施するための形態】
【００１０】
以下、本発明の一実施形態にかかる画像読取装置およびこれを備えた画像形成装置について図面を参照して説明する。図１は、本発明の一実施形態にかかる画像読取装置を備えた画像形成装置を示す斜視図である。
【００１１】
画像形成装置１は、ファクシミリ通信機能、コピー機能、プリンター機能、およびスキャナー機能等の複数の機能を兼ね備えた複合機である。図１に示すように、画像形成装置１は、装置本体８０と、装置本体８０の上方に配置された画像読取装置１０とから概略構成される。
【００１２】
装置本体８０の外郭を構成する筐体８１の内部には、給紙部８２、および画像形成部８４等が収容されている。
【００１３】
給紙部８２は、用紙（記録紙）を収容する給紙カセット（不図示）と、繰出ローラー（不図示）とを備え、給紙カセットに収容された用紙を筐体８１の内部に設けられた用紙搬送路に向けて繰り出す。
【００１４】
画像形成部８４は、感光体ドラム（不図示）、帯電装置（不図示）、露光装置（不図示）、および現像装置（不図示）等を備える。画像形成部８４は、画像読取装置１０が原稿を読み取って生成した画像データに基づくトナー画像を、帯電、露光、現像の工程により、感光体ドラム上に形成する。給紙部８２から搬送された用紙は、感光体ドラムに形成されたトナー像が転写され、定着処理が施された後に排出トレイ８８に排出される。
【００１５】
装置本体８０の筐体８１の前面には、操作部８５が配置されている。操作部８５は、液晶ディスプレイ（ＬＣＤ：Liquid Crystal Display）や有機ＥＬ（ＯＬＥＤ：Organic Light-Emitting Diode）ディスプレイを含んで構成される表示部８５１と、表示部８５１に表示される画面に対する操作をユーザーから受け付ける複数の操作キー８５２とを備えている。
【００１６】
表示部８５１に表示された操作画面に基づき、操作キー８５２等により入力されたユーザー操作により、画像読取指示や画像形成指示等が入力される。当該入力された指示は、受付部１０２（図４参照）により受け付けられる。
【００１７】
図２は、本発明の一実施形態にかかる画像読取装置１０の構造を示す側面断面図である。画像読取装置１０は、画像読取部３０と、画像読取部３０の上方に配置された原稿搬送部２０とを備えている。
【００１８】
画像読取部３０は、ＣＣＤ（Charge Coupled Device）および画像照射ランプ等からなる読取ユニット４０と、ガラス等の透明部材により構成された原稿台５２と、読取スリット５３とを備えている。読取ユニット４０は、ステッピングモーターやギア等を有する読取ユニット駆動部（不図示）により移動される。
【００１９】
原稿固定読取では、読取ユニット駆動部により読取ユニット４０が予め定められた原稿サイズ検出位置から副走査方向へ移動される。この際、読取ユニット４０は、原稿台５２に載置された原稿での光の反射の有無を検知して、当該検知結果示す信号を出力する。原稿長さ検出部１０５（図４参照）は、当該信号に基づき、原稿台５２に載置された原稿の副走査方向における長さ、および主走査方向における長さを検出する。読取領域設定部１０６（図４参照）は、原稿長さ検出部１０５が検出した原稿の長さに基づき、原稿の読取領域を設定する。その後、読取ユニット駆動部により読取ユニット４０が予め定められた読取開始位置から副走査方向に移動され、原稿台５２に載置された原稿が読み取られる。
【００２０】
一方、原稿搬送読取では、読取ユニット駆動部により読取ユニット４０が読取スリット５３の裏面における予め定められた位置に固定され、原稿搬送部２０により読取スリット５３に向けて搬送された原稿が読み取られる。
【００２１】
原稿搬送部２０は、上述したように、読取ユニット４０の読取領域である読取スリット５３に原稿を搬送する。原稿搬送部２０は、原稿が載置される原稿載置台２１と、原稿載置台２１に載置された原稿を搬送する原稿搬送機構２２と、画像読み取り済みの原稿が排出される原稿排出部２３とを備えている。原稿搬送機構２２は、給紙ローラー６０、レジストローラー対６５、原稿検出センサー６６、分離コロ６７、排紙ローラー対６８、および原稿搬送路６０１を備える。
【００２２】
給紙ローラー６０と分離コロ６７とは互いに当接して対をなして配置されている。給紙ローラー６０及び分離コロ６７は、原稿載置台２１上の原稿を一枚ずつ捌きながら、両ローラーのニップ部により原稿を狭持してレジストローラー対６５に向けて原稿を搬送する。
【００２３】
レジストローラー対６５は、読取スリット５３に原稿を搬送するタイミングを調整するローラーである。レジストローラー対６５は、両ローラーのニップ部により原稿を狭持して読取スリット５３に向けて原稿を搬送する。
【００２４】
読取スリット５３の位置では、このように搬送される原稿の搬送方向先端から後端にかけての原稿表面の画像が読取ユニット４０により読み取られる。読取スリット５３を通過した原稿は、排紙ローラー対６８に受け取られて、排紙ローラー対６８により原稿排出部２３に排出される。
【００２５】
ここで、原稿搬送部２０の内部には、原稿の長さを検出するための複数のセンサーが配設されている。図３は、原稿搬送部２０の内部に設置された各種センサーの配設位置を示す平面断面図である。本図に示すように、原稿載置台２１には、主走査方向にスライド可能なガイド板２９と、ガイド板２９のスライド位置を示す信号を出力するガイド板検出センサー２７とが配設されている。原稿長さ検出部１０５は、ガイド板検出センサー２７から出力される当該信号に基づき、原稿載置台２１に載置された原稿の主走査方向における長さを検出する。
【００２６】
また、原稿搬送路６０１における給紙ローラー６０および分離コロ６７の配設位置と、レジストローラー対６５の配設位置との間には、原稿検出センサー６６が配設されている。原稿検出センサー６６は、２つの光学式センサー６６１、６６２が搬送方向に直交する方向に並設されたラインセンサーである。原稿検出センサー６６の光学式センサー６６１、６６２は、原稿を検出した場合にハイレベル信号を出力し、原稿を検出しない場合にローレベル信号を出力する。原稿長さ検出部１０５は、原稿検出センサー６６の光学式センサー６６１、６６２からハイレベル信号が出力されている時間に、原稿の搬送速度を乗じることで、原稿搬送路６０１中での原稿の副走査方向（搬送方向）における長さを検出する。
【００２７】
ここで、副走査方向に対する原稿の傾き角度が大きくなれば、光学式センサー６６１においてローレベル信号からハイレベル信号に切り替わるタイミングと、光学式センサー６６２においてローレベル信号からハイレベル信号に切り替わるタイミングとの差が大きくなる。同様に、副走査方向に対する原稿の傾き角度が大きくなれば、光学式センサー６６１においてハイレベル信号からローレベル信号に切り替わるタイミングと、光学式センサー６６２においてハイレベル信号からローレベル信号に切り替わるタイミングとの差が大きくなる。すなわち、原稿の傾き角度と、光学式センサー６６１、６６２間におけるローレベル信号からハイレベル信号に切り替わるタイミングの差、および、ハイレベル信号からローレベル信号に切り替わるタイミングの差との間には比例関係が成り立つ。傾き角度検出部１０４（図４参照）は、光学式センサー６６１、６６２間におけるローレベル信号からハイレベル信号に切り替わるタイミングの差、または、ハイレベル信号からローレベル信号に切り替わるタイミングの差に基づき、原稿の傾き角度を検出する。
【００２８】
次に、画像読取装置１０および画像形成装置１の内部構成を説明する。図４は、本発明の一実施形態にかかる画像読取装置１０および画像形成装置１の主要内部構成を概略的に示す機能ブロック図である。なお既に説明した構成については説明を略する。
【００２９】
記憶部７０は、ＨＤＤ（Hard Disk Drive）等の大容量の記憶装置である。
【００３０】
制御ユニット１００は、ＣＰＵ(Central Processing Unit)、ＲＡＭ（Random Access Memory）、及びＲＯＭ（Read Only Memory）等から構成される。制御ユニット１００は、上記のＲＯＭまたはＨＤＤ等に記憶された制御プログラムが上記のＣＰＵに実行されることにより、制御部１０１、受付部１０２、傾き角度検出部１０４、原稿長さ検出部１０５、読取領域設定部１０６、傾き補正部１０８、および判別部１０９として機能する。なお、制御ユニット１００の上記の各構成は、前述の制御プログラムに基づく動作によらず、それぞれハード回路により構成されてもよい。
【００３１】
制御部１０１は、画像読取装置１０および画像形成装置１の全体的な動作制御を司る。制御部１０１は、画像読取装置１０、記憶部７０、給紙部８２、画像形成部８４、および操作部８５等と接続されており、接続されている上記各機構の動作制御や、各機構との間での信号又はデータの送受信を行う。
【００３２】
受付部１０２（指示受付部）は、表示部８５１に表示された操作画面に従って操作キー８５２等を用いて入力されるユーザー操作に基づき、画像読取指示、画像形成指示、副走査方向に対する原稿の傾き角度に応じた傾き補正処理に対する実行指示、白紙データであるか否かを判別する白紙データ判別処理に対する実行指示、およびカラーデータであるかモノクロデータであるかを判別するＡＣＳ処理に対する実行指示等を受け付ける。
【００３３】
読取領域設定部１０６は、原稿長さ検出部１０５が検出した原稿の副走査方向および主走査方向の長さに基づき、画像読取部３０による原稿の読取範囲を設定する機能を有する。
【００３４】
傾き補正部１０８は、画像読取部３０が原稿を読み取って生成した画像データに対して、傾き補正処理を実行する。具体的には、傾き補正部１０８は、傾き角度検出部１０４が検出した傾き角度に応じた回転処理やサイズ調整処理等を実行する。なお、傾き補正部１０８による上記の処理は、受付部１０２が傾き補正処理の実行指示を受け付け、傾き補正機能が有効である場合に行われる。
【００３５】
判別部１０９は、画像読取部３０が生成した画像データの全領域の中から対象領域を定め、当該対象領域において原稿部分に相当する画像データを解析することで、画像データの種別を判別する。判別部１０９は、解析対象となる対象領域を画像データの全領域とするのではなく、画像データの全領域から予め定められた領域だけ内側へ狭めた領域を対象領域と定める。これにより、画像データの種別を判別する際の判別精度を高めることができる。
【００３６】
判別部１０９は、例えば、白紙データであるか否かを判別する白紙データ判別処理を行う。判別部１０９は、白紙データ判別処理において、対象領域を構成する画素のうち白画素が占める割合を算出する。判別部１０９は、白画素が占める割合が予め定められた閾値以上である場合に、画像データが白紙データであると判別し、白画素が占める割合が予め定められた閾値未満である場合に、画像データが白紙データでないと判別する。
【００３７】
また、判別部１０９は、例えば、カラーデータであるかモノクロデータであるかを判別するＡＣＳ処理を行う。判別部１０９は、ＡＣＳ処理において、対象領域を構成する画素のうちカラー画素が占める割合を算出する。判別部１０９は、カラー画素が占める割合が予め定められた閾値以上である場合に、画像データがカラーデータであると判別し、カラー画素が占める割合が予め定められた閾値未満である場合に、画像データがモノクロデータであると判別する。なお、判別部１０９による上記の処理は、受付部１０２が原稿判別処理の実行指示を受け付け、原稿判別機能が有効である場合に行われる。
【００３８】
図５（Ａ）および図５（Ｂ）は、読取領域設定部１０６により設定される読取領域、および、判別部１０９による解析対象となる対象領域を示す図である。図５（Ａ）は、傾き補正機能が無効である場合における読取領域および対象領域を示し、図５（Ｂ）は、傾き補正機能が有効である場合における読取領域および対象領域を示す。
【００３９】
図５（Ａ）に示すように、傾き補正機能が無効である場合、読取領域設定部１０６は、原稿長さ検出部１０５が検出した原稿の副走査方向および主走査方向の長さから定まる領域と同じ大きさの領域または若干大きい領域を、読取領域Ａ１として設定する。図５（Ａ）に示す例では、読取領域Ａ１の副走査方向の長さがＬ１となり、主走査方向の長さがＷ１となっている。
【００４０】
判別部１０９は、読取領域Ａ１を予め定められた第１の領域だけ内側へ狭めた領域を対象領域と定める。図５（Ａ）に示す例では、判別部１０９は、副走査方向において読取領域Ａ１の先端および後端からそれぞれ長さＤ２の領域だけ内側へ狭まり、主走査方向において読取領域Ａ１の左端および右端からそれぞれ長さＤ１の領域だけ内側へ狭まった領域を対象領域Ｂ１として設定している。なお、上記の第１の領域の大きさは、記憶部７０等に予め記憶されている。
【００４１】
一方、傾き補正機能が有効である場合、傾き補正処理を施した画像データに画像の欠落が生じないようにするため、読取範囲を広く設定する必要がある。このため、読取領域設定部１０６は、図５（Ｂ）に示すように、原稿長さ検出部１０５が検出した原稿の副走査方向および主走査方向の長さから定まる領域よりも大きい領域を、読取領域Ａ２として設定する。その結果、傾き補正機能が有効である場合に設定された読取領域Ａ２は、傾き補正機能が無効である場合に設定された読取領域Ａ１よりも広い領域となる（Ｗ２≧Ｗ１、Ｌ２≧Ｌ１）。
【００４２】
このように設定された読取領域Ａ２において、傾き補正機能が無効である場合と同様に、副走査方向において読取領域Ａ２の先端および後端からそれぞれ長さＤ２の領域だけ内側へ狭まり、主走査方向において読取領域Ａ２の左端および右端からそれぞれ長さＤ１の領域だけ内側へ狭まった領域を対象領域Ｂ２として設定した場合を考える。読取領域Ａ２は、読取領域Ａ１よりも広い領域であるため、対象領域Ｂ２には、原稿以外の領域が画像読取部３０に読み取られて生成された画素が多く配置されている。このため、判別部１０９が、対象領域Ｂ２において白紙データ判別処理やＡＣＳ処理等の画像データの種別の判別処理を行った場合、その判別処理の精度が低下してしまう。
【００４３】
そこで、判別部１０９は、対象領域Ｂ２を更に予め定められた領域だけ内側へ狭めた領域を対象領域Ｂ３として設定する。換言すれば、判別部１０９は、読取領域Ａ１を上記の第１の領域よりも大きい第２の領域だけ内側へ狭めた領域を対象領域Ｂ３として設定する。そして判別部１０９は、当該設定した対象領域Ｂ３において画像データを解析して、画像データの種別を判別する。
【００４４】
図５（Ｂ）に示す例では、判別部１０９は、副走査方向において対象領域Ｂ２の先端および後端からそれぞれ長さＤ４の領域だけ内側へ狭まり、主走査方向において対象領域Ｂ２の左端および右端からそれぞれ長さＤ３の領域だけ内側へ狭まった領域を対象領域Ｂ３として設定している。すなわち、判別部１０９は、副走査方向において読取領域Ａ１の先端および後端からそれぞれ長さＤ２＋Ｄ４の領域だけ内側へ狭まり、主走査方向において読取領域Ａ１の左端および右端からそれぞれ長さＤ１＋Ｄ３の領域だけ内側へ狭まった領域を対象領域Ｂ１として設定している。これにより、判別部１０９は、傾き補正機能が有効である場合であっても、原稿判別処理を精度良く行うことができる。
【００４５】
なお、受付部１０２は、表示部８５１に表示された操作画面に従って操作キー８５２等を用いて入力されるユーザー操作に基づき、上記の第２の領域の大きさ変更指示を受け付けることができる。受付部１０２は、当該変更指示において、上記のＤ３やＤ４の長さを第２の領域の大きさとして受け付ける。このとき、受付部１０２は、領域受付部としての役割を果たしている。
【００４６】
次に、上記構成を備える画像読取装置１０による動作について説明する。図６は、画像読取装置１０による動作の流れを示すフローチャートである。
【００４７】
受付部１０２が画像読み取り指示を受け付けた場合（ステップＳ１０においてＹＥＳ）、制御部１０１は、傾き補正機能が有効であるか否かを判定する（ステップＳ１１）。
【００４８】
傾き補正機能が有効である場合（ステップＳ１１においてＹＥＳ）、制御部１０１は、画像読取装置１０の各機構の動作を制御して、原稿の読み取り動作を開始させる。まず、傾き角度検出部１０４は、原稿検出センサー６６から出力される信号に基づき、原稿の傾き角度を検出する（ステップＳ１２）。
【００４９】
また、原稿長さ検出部１０５は、読取ユニット４０から出力される信号や、ガイド板検出センサー２７から出力される信号、および原稿検出センサー６６から出力される信号等に基づき、原稿の副走査方向における長さ、および主走査方向における長さを検出する（ステップＳ１３）。
【００５０】
読取領域設定部１０６は、ステップＳ１３の処理で検出した原稿の副走査方向および主走査方向の長さに基づき、画像読取部３０による原稿の読取範囲を設定する（ステップＳ１４）。傾き補正機能が有効であるため、読取領域設定部１０６は、傾き補正処理が実行されない場合において設定する読取領域よりも広い読取領域を設定する。
【００５１】
そして、制御部１０１は、画像読取部３０に、ステップＳ１４の処理で設定した読取領域において原稿を読み取らせ（ステップＳ１５）、原稿の画像データを生成させる（ステップＳ１６）。
【００５２】
判別部１０９は、ステップＳ１６の処理で生成した画像データの全領域の中から、解析処理の対象となる対象領域を設定する（ステップＳ１７）。傾き補正機能が有効であるため、判別部１０９は、画像データの全領域を第１の領域より大きい第２の領域だけ内側へ狭めた領域を対象領域として設定する。
【００５３】
そして、判別部１０９は、ステップＳ１７の処理で設定した対象領域において、ステップＳ１６の処理で生成した画像データを解析して、画像データの種別を判別する（ステップＳ１８）。制御部１０１は、表示部８５１等に画像データの種別の判別結果を表示させる。
【００５４】
ステップＳ１８の処理後、傾き補正部１０８は、ステップＳ１２の処理で検出した傾き角度に応じた回転処理やサイズ調整処理等からなる傾き補正処理を、ステップＳ１６の処理で生成した画像データに対して実行する（ステップＳ１９）。傾き補正部１０８は、当該傾き補正処理後の画像データを記憶部７０等に記憶させる。
【００５５】
一方、傾き補正機能が無効である場合（ステップＳ１１においてＮＯ）、制御部１０１は、画像読取装置１０の各機構の動作を制御して、通常の画像読取処理を実行させる（ステップＳ２０）。当該通常の画像読取処理では、傾き角度検出部１０４による傾き角度の検出が行われない。また、読取領域設定部１０６は、原稿長さ検出部１０５が検出した原稿の副走査方向および主走査方向の長さから定まる領域と同じ大きさの領域または若干大きい領域を読取領域として設定する。
【００５６】
ステップＳ２０の処理後、判別部１０９は、通常の画像解析処理を実行する（ステップＳ２１）。当該通常の画像解析処理では、画像データの全領域を予め定められた第１の領域だけ内側へ狭めた領域が対象領域と設定される。
【００５７】
なお、本発明は、上記の実施の形態の構成に限られず種々の変形が可能である。
【００５８】
図６に示すフローチャートでは、傾き補正機能が有効である場合に（ステップＳ１１においてＹＥＳ）、原稿の傾き角度を検出し（ステップＳ１２）、その後のステップＳ１７の処理において、画像データの全領域を第１の領域より大きい第２の領域だけ内側へ狭めた領域を対象領域として設定する場合を説明した。しかしながら、本発明は必ずしもこの場合に限定されない。傾き補正機能が有効である場合に（ステップＳ１１においてＹＥＳ）、ステップＳ１２の原稿の傾き角度を検出する処理を行わずに、ステップＳ１７の対象領域を設定する処理を行ってもよい。すなわち、ステップＳ１７の対象領域を設定する処理は、傾き補正機能が有効である場合に実行され、傾き補正機能が無効である場合に実行されない。
【００５９】
また、上記の実施の形態で示した原稿検出センサー６６の構成は一例であり、本発明は必ずしもこの場合に限定されない。画像読取装置１０は、原稿搬送路６０１中において原稿の傾き角度および原稿の副走査方向の長さを検出できる機構を備えていればよい。
【００６０】
また、上記の実施の形態で説明した制御プログラムをコンピューター読み取り可能な非一時的な記録媒体、例えば、ハードディスク、ＣＤ−ＲＯＭ、ＤＶＤ−ＲＯＭ、半導体メモリーなどに記録されたものとしてもよい。この場合、当該制御プログラムを記録したコンピューター読み取り可能な非一時的な記録媒体が、本発明の一実施形態となる。
【符号の説明】
【００６１】
１      画像形成装置
１０    画像読取装置
２０    原稿搬送部
２１    原稿載置台
２２    原稿搬送機構
２３    原稿排出部
２７    ガイド板検出センサー
３０    画像読取部
４０    読取ユニット
６６    原稿検出センサー
１００  制御ユニット
１０１  制御部
１０２  受付部
１０４  傾き角度検出部
１０５  原稿長さ検出部
１０６  読取領域設定部
１０８  傾き補正部
１０９  判別部
【図１】
2016092479.tif 000003
【図２】
2016092479.tif 000004
【図３】
2016092479.tif 000005
【図４】
2016092479.tif 000006
【図５】
2016092479.tif 000007
【図６】
2016092479.tif 000008